(57)【要約】【課題】特に優れた防寒性及び実用性を有する、指先部分が開閉可能な手袋を提供する。【解決手段】掌部分と、複数の指部分と、該掌部分の下端に形成される手首部分とを有すると共に、各指部分の後端が前記掌部分の上端と連結される本体と、前記複数の指部分の前端に夫々開閉可能に設けられる少なくとも１つの開閉部材と、を備えることを特徴とする。【選択図】図１
2014091879.tif 000002
【特許請求の範囲】
【請求項１】
掌部分と、複数の指部分と、該掌部分の下端に形成される手首部分とを有すると共に、各指部分の後端が前記掌部分の上端と連結される本体と、
前記複数の指部分の前端に夫々開閉可能に設けられる少なくとも１つの開閉部材と、を備えることを特徴とする手袋。
【請求項２】
前記複数の指部分は、親指部分、人差し指部分、中指部分、薬指部分、及び小指部分からなることを特徴とする請求項１に記載の手袋。
【請求項３】
前記人差し指部分、中指部分、及び薬指部分の前端に夫々開閉可能に３つの開閉部材が設けられることを特徴とする請求項２に記載の手袋。
【請求項４】
前記親指部分、人差し指部分、中指部分、及び薬指部分の前端に夫々開閉可能な４つの開閉部材が設けられることを特徴とする請求項２に記載の手袋。
【請求項５】
前記開閉部材がエラスティックを含むことを特徴とする請求項１ないし４の何れか１項に記載の手袋。
【請求項６】
前記開閉部材に面ファスナーを有することを特徴とする請求項１ないし４の何れか１項に記載の手袋。
【発明の詳細な説明】
【技術分野】
【０００１】
本発明は、特に防寒性及び実用性を有する、指先部分が開閉可能な手袋に関するものである。
【背景技術】
【０００２】
冬季、または、寒冷地においては、寒さから手を守るために、通常は手袋を着用することによって、体温の発散を防いで体内を一定に保つと共に、凍傷を予防する。
【０００３】
図９に示すように、従来技術における手袋４０は、各指先から手首まで全面的に覆うようにできている。この従来の手袋４０の指部分４１は、指を露出させない構成であることから、防寒性は有するが、実用性には欠ける。例えば、該従来の手袋４０の指先部分は摩擦力不足であるので、該従来の手袋４０を着用したまま水筒を開けようとしても、思い通りに開けることができない。
【０００４】
また、前記従来の手袋４０の指先部分の太さは、一般のコンピュータのキーボードにおけるキーピッチよりも大きいので、該従来の手袋４０を着用したままキーボードを操作すると、同時に隣接のキーも打ち込んでしまうので、結局は、該従来の手袋４０を外してから操作をしなければならない。
【０００５】
また、例えば、キャパシタ式タッチパネルを有するスマートフォンなどの電子製品は、人体の静電気を利用して作動させるものであることから、前記従来の手袋４０を着用したままでは、該電子製品は使用できないので、使用時には、やはり該手袋４０をはずさなくてはならない。
【０００６】
その後、図１０に示すように、前記従来の手袋４０の欠点を改善した例えば特許文献１に記載の指なし手袋５０が案出され、それによれば、指部分５１に、指より短い開放部を有することから、着用時に使用者の指５２を一部露出させて、指先を有効的に利用することができる。
【先行技術文献】
【特許文献】
【０００７】
【特許文献１】特許公開平１０−１３０９１９
【発明の概要】
【発明が解決しようとする課題】
【０００８】
しかしながら、上記従来の指なし手袋５０には、以下のような問題がある。
寒冷の環境においても、指５２が指なし手袋５０から露出しているので、防寒性を発揮することができないのみならず、指が凍傷にかかってしまう恐れがあった。
【０００９】
上述したように、前記従来の手袋４０も、前記従来の指なし手袋５０も、防寒性及び実用性を兼ね備えたものではなかった。
【００１０】
そこで、出願されたのが本発明であって、防寒性を具備させるために使用者の手を覆う事ができると共に、手袋をはずさなくても指先を露出させることができる手袋を提供することを目的としている。
【課題を解決するための手段】
【００１１】
本願の請求項１の発明は、掌部分と、複数の指部分と、該掌部分の下端に形成される手首部分とを有すると共に、各指部分の後端が前記掌部分の上端と連結される本体と、
前記複数の指部分の前端に夫々開閉可能に設けられる少なくとも１つの開閉部材と、を備えることを特徴とする手袋、を提供する。
【００１２】
本願の請求項２の発明は、前記複数の指部分は、親指部分、人差し指部分、中指部分、薬指部分、及び小指部分からなることを特徴とする請求項１に記載の手袋、を提供する。
【００１３】
本願の請求項３の発明は、前記人差し指部分、中指部分、及び薬指部分の前端に夫々開閉可能に３つの開閉部材が設けられることを特徴とする請求項２に記載の手袋、を提供する。
【００１４】
本願の請求項４の発明は、前記親指部分、人差し指部分、中指部分、及び薬指部分の前端に夫々開閉可能な４つの開閉部材が設けられることを特徴とする請求項２に記載の手袋、を提供する。
【００１５】
本願の請求項５の発明は、前記開閉部材がエラスティックを含むことを特徴とする請求項１ないし４の何れか１項に記載の手袋、を提供する。
【００１６】
本願の請求項６の発明は、前記開閉部材に面ファスナーを有することを特徴とする請求項１ないし４の何れか１項に記載の手袋、を提供する。
【発明の効果】
【００１７】
本発明に係る手袋は、指部分の先端を閉じれば、防寒効果を発揮することができ、また、開放すれば、手袋を着用したまま、指先を露出させて電子商品などのタッチパネルや、スイッチ、ボタンなどを操作することができるので、実用性に優れている。
【００１８】
なお、本発明に係る手袋における、人差し指部分、中指部分、及び薬指部分の前端に開閉可能な開口が形成される構成は、特にタッチパネルの操作のために露出させるものであるので、タッチパネルの操作に適している。
【００１９】
また、本発明に係る手袋における、前記親指部分、人差し指部分、中指部分、及び薬指部分の前端に開閉可能な開口が形成される構成は、タッチパネルに加え、スイッチやボタンの操作にも優れている。
【図面の簡単な説明】
【００２０】
【図１】本発明に係る手袋における第１実施例の斜視図である。
【図２】本発明に係る手袋における第１実施例の使用状態を示す斜視図である。
【図３】本発明に係る手袋における第２実施例の斜視図である。
【図４】本発明に係る手袋における第２実施例の使用状態を示す斜視図である。
【図５】本発明に係る手袋における第１実施例の指部分の平面図である。
【図６】本発明に係る手袋における第１実施例の指部分の使用状態を示す平面図である。
【図７】本発明に係る手袋における第３実施例の指部分の部分断面側面図である。
【図８】本発明に係る手袋における第３実施例の指部分の側面図である。
【図９】従来の手袋の斜視図である。
【図１０】従来の指なし手袋の斜視図である。
【発明を実施するための形態】
【００２１】
図１に示すように、本発明に係る手袋は、本体１０と、少なくとも１つの開閉部材２０とを備える。
【００２２】
前記本体１０は、複数の指部分１１と、掌部分１２と、手首部分１３とを有し、その内、掌部分１２は上端及び下端を有し、該各指部分１１は、前端と後端を有し、該各指部分１１の後端は掌部分１２の上端と連結され、また、該手首部分１３は、前記掌部分１２の下端に設けられる。
【００２３】
図１に示すように、本発明に係る手袋の第１実施例における複数の指部分１１は、親指部分１１１、人差し指部分１１２、中指部分１１３、薬指部分１１４、及び小指部分１１５からなる。
【００２４】
図１及び図２に示すように、前記複数の指部分１１の前端に前記少なくとも１つの開閉部材２０が設けられる。本発明に係る手袋の第１実施例では、前記人差し指部分１１２、中指部分１１３、及び薬指部分１１４の前端に、エラスティックを含む３つの開閉部材２０が設けられる。
【００２５】
また、図３及び図４に示すように、本発明に係る手袋の第２実施例では、前記指部分１１ａにおける親指部分１１１ａ、人差し指部分１１２ａ、中指部分１１３ａ、及び薬指部分１１４ａの前端に４つの開閉部材２０ａが設けられる。
【００２６】
図１及び図５に示すように、本発明に係る手袋の第１実施例における各指部分１１は夫々、使用者の指３０に対応し、その内、親指部分１１１及び小指部分１１５の前端には開口が形成されていないが、人差し指部分１１２、中指部分１１３、及び薬指部分１１４の前端に開口が形成され、それらは開閉部材２０によって開閉可能である。また、掌部分１２は、使用者の掌を覆うものであり、手首部分１３は、使用者の手首を覆うものであることから、本発明に係る手袋は、使用者の指先から手首まで完全に覆うことができるので、優れた防寒効果を提供することができる。
【００２７】
また、図１、図２、図５及び図６に示すように、本発明に係る手袋の人差し指部分１１２、中指部分１１３、及び薬指部分１１４の前端には夫々開閉部材２０が設けられていることから、該人差し指部分１１２、中指部分１１３、及び薬指部分１１４の前端を閉じることはできるが、完全に密閉されるものではない。更に、第１実施例における各開閉部材２０は、エラスティックを含むものであるので、人差し指部分１１２、中指部分１１３、及び薬指部分１１４から夫々指先を露出させようとするとき、指３０（人差し指、中指及び薬指）が開閉部材２０のエラスティックを容易に押し開けるので、指先が開閉部材２０を通過し、露出状態となる。故に、指先で簡単にスイッチなどを操作することができる。
【００２８】
指先操作を必要とする作業が終了した時、人差し指部分１１２、中指部分１１３、及び薬指部分１１４を再び元の位置に戻せば、夫々の開閉部材２０がそのエラスティックの弾性により、指先を覆う閉止状態とすることができることから、寒さから指先を守ることができる。
【００２９】
なお、図７及び図８に示すように、本発明に係る手袋の第３実施例では、指部分１１ｂの前端に設けられる開閉部材２０ｂに面ファスナーが設けられていることから、本発明に係る手袋の第３実施例を着用する時は、各指部分１１ｂから夫々指先を露出させると同時に、開閉部材２０ｂを開き、又は、一定の力で指を前進させ、夫々の開閉部材２０ｂの面ファスナーをそのまま押し開ければ、指先を露出させることができる。また、指先操作を必要とする作業が終了し、指先を手袋の内部に収めたい時は、指部分１１ｂを元の位置に戻すと共に、開閉部材２０ｂの面ファスナーを結合させ、指先を覆うことにより、防寒効果を発揮することができる。
【００３０】
上述したように、本発明に係る手袋は、着用した状態で指先を簡単に露出させることができることから、あらゆる装置を指先で簡単に操作が可能となると共に、露出した指先を再び覆って防寒効果を発揮させることもできるので、実用性に優れている。
【符号の説明】
【００３１】
１０      本体
１１      指部分
１１１    親指部分
１１２    人差し指部分
１１３    中指部分
１１４    薬指部分
１１５    小指部分
１２      掌部分
１３      手首部分
１１ａ    指部分
１１１ａ  親指部分
１１２ａ  人差し指部分
１１３ａ  中指部分
１１４ａ  薬指部分
１１５ａ  小指部分
１１ｂ    指部分
２０      開閉部材
２０ａ    開閉部材
２０ｂ    開閉部材
３０      指
【図１】
2014091879.tif 000003
【図２】
2014091879.tif 000004
【図３】
2014091879.tif 000005
【図４】
2014091879.tif 000006
【図５】
2014091879.tif 000007
【図６】
2014091879.tif 000008
【図７】
2014091879.tif 000009
【図８】
2014091879.tif 000010
【図９】
2014091879.tif 000011
【図１０】
2014091879.tif 000012